(57)【特許請求の範囲】
【請求項１】
ノンリニアアクセス可能な第１の記録媒体と、
上記第１の記録媒体に映像および／または音声信号を記録する記録手段と、
番組の構成に基づいて各番組に必要な映像および／または音声が所定単位ごとに示された番組構成表が表示される表示手段と、
上記表示手段に表示された番組構成表を操作する操作手段と、
上記番組構成表の上記所定単位ごとに付された識別符号を上記操作手段を用いて上記番組構成表に登録させ、登録された上記識別符号が示す所定単位の映像および／または音声のうち上記操作手段の操作により選択された所定単位の映像および／または音声のみを上記記録手段が上記第１の記録媒体に記録するよう制御する制御手段とを備え、
上記制御手段は、上記識別符号を、上記番組編成表に登録させるとともに、撮像のための第２の記録媒体に記録し、この識別符号に対応して上記撮像装置が上記第２の記録媒体に記録した映像および／または音声を、上記識別符号に基づいて上記第１の記録媒体に記録するように制御すること
を特徴とする編集装置。
【請求項２】
上記制御手段は、番組構成表に識別符号を登録させ、登録された識別符号が付された上記所定単位ごとに、該所定単位の先頭フレームの映像が上記第１の記録媒体に記録されるとともに上記番組構成表に表示され、登録された上記識別符号が示す所定単位の映像のうち上記操作手段の操作により選択された所定単位の映像のみを上記第１の記録媒体に記録されるとともに上記表示手段に記録された映像が表示されるよう、それぞれ上記表示手段と上記記録手段とを制御することを特徴とする請求の範囲第１項記載の編集装置。
【請求項３】
上記制御手段は、上記操作手段の操作により選択された所定単位の映像のみを上記記録手段が上記第１の記録媒体に記録するとき、上記表示手段に表示される番組構成表には、上記記録される映像が記録される順番に所定時間ごとにフレーム単位で表示されることを特徴とする請求の範囲第１項記載の編集装置。
【請求項４】
上記制御手段は、上記操作手段の操作により選択された所定単位の映像および／または音声信号のみを上記記録手段が上記第１の記録媒体に記録するよう制御するとき、記録されるべき映像および／または音声信号が所定の長さを超える場合には、超えた映像および／または音声信号は、上記番組構成表を用いて上記第１の記録媒体に記録された映像および／または音声信号を編集するときに表示手段に表示されるよう上記記録手段と上記表示手段とを制御することを特徴とする請求の範囲第１項記載の編集装置。
【請求項５】
上記第１の記録媒体に記録された映像および／または音声信号を再生して出力する再生出力手段をさらに有し、
上記制御手段は、上記第１の記録媒体に記録された映像および／または音声信号を上記表示手段に表示される番組構成表の順に出力されるよう上記再生出力手段を制御することを特徴とする請求の範囲第１項記載の編集装置。
【請求項６】
上記表示手段には、上記操作手段の操作により選択された所定単位の映像および／音声のみを上記記録手段が上記第１の記録媒体に記録され、記録された上記映像および／音声は上記番組構成表が示す上記所定単位で上記番組の構成順に時系列にしたがって上記番組構成表に表示されることを特徴とする請求の範囲第１項記載の編集装置。
【請求項７】
上記第１の記録媒体に記録された映像および／または音声信号が入力されて、該映像および／または音声信号に対して特殊効果を施す特殊効果処理手段をさらに有し、
上記番組構成表に表示される、上記操作手段の操作により選択され記録された上記所定単位の映像に対して、上記操作手段により映像および／または音声の特殊効果の操作が行われ、操作された操作情報は上記制御部に入力され、上記制御部は該操作情報に対応する上記特殊効果の対象の映像および／または音声信号を上記特殊効果処理手段に入力され、特殊効果が施された上記映像および／または音声信号は再び上記第１の記録媒体に記録されるよう制御することを特徴とする請求の範囲第１項記載の編集装置。
【請求項８】
上記番組構成表に表示される上記所定単位の映像および／または音声に対し、上記表示手段には、映像特殊効果の種類を表す表示からなる特殊効果選択表が表示され、該表示を上記操作手段により操作することで上記操作情報が上記制御部に入力され、上記制御部は入力された上記操作情報に基づいて上記特殊効果対象の映像および／または音声信号を上記特殊効果処理手段に入力させ、特殊効果が施された上記映像および／または音声信号は再び上記第１の記録媒体に記録されるよう制御することを特徴とする請求の範囲第７項記載の編集装置。
【請求項９】
上記第１の記録媒体に記録された映像が記録される順番に所定時間ごとにフレーム単位で表示された上記表示手段に対し、上記制御部は上記操作部の操作によりフレーム単位で表示された上記映像が記録された順に上記表示部に再生表示させ、上記操作部の操作により該再生表示された映像の開始フレームおよび終了フレームを決定すると、該開始フレームから終了フレームまでが上記番組構成表に表示させるよう上記表示部を制御することを特徴とする請求の範囲第３項記載の編集装置。
【請求項１０】
上記表示手段に表示される上記番組構成表を上記操作手段の操作により上記所定単位の順番を変更すると、番組の構成自体も変更されるとともに上記番組構成表に表示される上記記録された映像および／または音声も変更された順番に上記番組構成表の上記所定単位の順に変更されるよう上記制御部は、上記表示部を制御することを特徴とする請求の範囲第１項記載の編集装置。
【請求項１１】
上記撮像装置の第２の記録媒体はテープカセットであり、該テープカセットにはメモリ手段を有し、
上記撮像記録手段で記録される識別符号は上記メモリ手段に記録され、上記映像および／または音声信号は上記テープカセットのテープに記録されることを特徴とする請求の範囲第１項記載の編集装置。
【請求項１２】
上記制御手段は、上記番組編成表の識別符号が付されずに上記第２の記録媒体に記録された映像および／または音声信号についても上記操作手段により選択可能に制御することを特徴とする請求の範囲第１項記載の編集装置。
【請求項１３】
番組の構成に基づいて各番組に必要な映像および／または音声が所定単位ごとに表示されるとともに、該所定単位ごとに識別符号が付された番組構成表を表示する第１のステップと、
上記各番組に必要な映像および／または音声を所定単位ごとに選択される第２のステップと、
上記第２のステップで選択された所定単位ごとの映像および／または音声に対応する映像および／または音声信号のみが第１の記録媒体に記録されるとともに、上記番組構成表の各番組に必要な所定単位ごとに記録された映像および／または音声が表示される第３のステップとを備え、
上記第１のステップでは、上記識別符号を、上記番組編成表に登録させるとともに、撮像のための第２の記録媒体に記録し、
上記第３のステップでは、上記識別符号に対応して上記撮像装置が上記第２の記録媒体に記録した映像および／または音声を、上記識別符号に基づいて上記第１の記録媒体に記録するように制御すること
を特徴とする編集方法。
【請求項１４】
上記第１のステップで表示された番組構成表には、識別符号が付された上記所定単位ごとに、上記所定単位の先頭フレームが表示され、
上記第２のステップは、上記第１のステップで表示された前後のフレームから各番組に必要な映像を選択することを特徴とする請求の範囲第１３項記載の編集方法。
【請求項１５】
上記第３のステップで表示される映像は、記録された順番に所定時間ごとにフレーム単位で表示されることを特徴とする請求の範囲第１３項記載の編集方法。
【請求項１６】
上記第３のステップで記録される映像および／または音声信号が、所定長を超えて記録されるときは、上記第１の記録媒体に記録せす、上記映像および／または音声を編集するときに表示手段に表示させるように制御されることを特徴とする請求の範囲第１３項記載の編集方法。
【請求項１７】
上記第１の記録媒体に記録された映像および／または音声を上記番組構成表に表示された順番に出力する再生出力ステップをさらに有することを特徴とする請求の範囲第１３項記載の編集方法。
【請求項１８】
上記第３のステップで上記番組構成表に表示される映像および／または音声は、上記番組の構成順に時系列にしたがって表示されることを特徴とする請求の範囲第１３項記載の編集方法。
【請求項１９】
上記第３のステップで上記番組構成表に表示される上記第１の記録媒体に記録された映像および／または音声に対して、特殊効果を施すよう選択操作する操作ステップと、
上記操作ステップで操作された操作情報に基づいて上記第１の記録媒体に記録された映像および／または音声信号に対し特殊効果処理がなされる特殊効果処理ステップと、
上記特殊効果処理ステップで処理された上記映像および／または音声信号は再び上記第１の記録媒体に記録される再記録ステップとをさらに有することを特徴とする請求の範囲第１３項記載の編集方法。
【請求項２０】
上記操作ステップで、特殊効果を施す上記映像および／または音声に対して、特殊効果の種類を表現した表示からなる特殊効果選択表が表示され、特殊効果を施す上記映像および／または音声に対して、上記特殊効果選択表から施す特殊効果を上記表示から選択操作されることを特徴とする請求の範囲第１９項記載の編集方法。
【請求項２１】
上記第３のステップで記録された順番で上記所定時間ごとにフレーム表示された上記映像に対し、映像の開始フレームと終了フレームとを選択決定する選択決定ステップと、
上記選択決定ステップで決定された上記開始フレームと上記終了フレームとともに、開始フレームから上記終了フレームまでの映像が上記番組構成表に表示させる表示ステップとをさらに有することを特徴とする請求の範囲第１５項記載の編集方法。
【請求項２２】
上記第３のステップおよび／または上記第１のステップで表示される上記番組構成表に表示された上記所定単位の順番を変更すると、番組の構成も変更されるとともに上記番組構成表に表示される上記映像および／または音声も変更された順番に上記番組構成表に表示されることを特徴とする請求の範囲第１３項記載の編集方法。
【請求項２３】
上記撮像装置の第２の記録媒体はテープカセットであり、該テープカセットにはメモリ手段を有し、
上記撮像記録手段で記録される識別符号は上記メモリ手段に記録され、上記映像および／または音声信号は上記テープカセットのテープに記録されることを特徴とする請求の範囲第１３項記載の編集方法。
【請求項２４】
上記第３のステップで、上記番組編成表の識別符号が付されずに上記第２の記録媒体に記録された映像および／または音声信号についても、この映像および／または音声を選択して上記第１の記録媒体に記録し得るように制御されることを特徴とする請求の範囲第１３項記載の編集方法。
【請求項２５】
編集装置と撮像装置とからなる編集システムであって、
上記編集装置は、
ノンリニアアクセス可能な第１の記録媒体と、
上記第１の記録媒体に映像および／または音声信号を記録する編集記録手段と、
番組の構成に基づいて各番組に必要な映像および／または音声が所定の単位ごとに示された番組構成表が表示される表示手段と、
上記表示手段に表示された上記番組構成表を操作する操作手段と、
上記番組構成表の上記所定単位ごとに付けられた識別符号を上記操作手段を用いて上記番組構成表に登録させ、上記表示手段に表示させる制御手段とを有し、
上記撮像装置は、
上記表示手段に表示された上記番組構成表の上記所定単位ごとに付けられた上記識別符号を入力する識別符号入力手段と、
入力された上記識別符号に対応する上記所定単位の映像および／または音声とを撮像し、上記識別符号とともに上記撮像された映像および／または音声信号とを第２の記録媒体に記録する撮像記録手段と、
上記第２の記録媒体に記録された上記識別符号と、上記映像および／または音声信号を出力する出力手段と
を有し、
上記制御手段は、上記識別符号を、上記番組編成表に登録させるとともに、撮像のための第２の記録媒体に記録し、上記登録された識別符号が示す上記所定単位の映像および／または音声のうち上記操作手段の操作により選択された上記所定単位の映像および／または音声信号のみを上記撮像装置の出力手段から出力させ、上記第１の記録媒体に上記編集記録手段によって記録されるよう制御すること
を特徴とする編集システム。
【請求項２６】
番組の構成に基づいて各番組に必要な映像および／または音声が所定単位ごとに表示されるとともに、該所定単位ごとに識別符号が付された番組構成表を表示し、上記識別符号を、上記番組編成表に登録させるとともに、撮像のための第２の記録媒体に記録する第１のステップと、
上記第１のステップで表示された識別符号に基づいて上記各番組に必要な映像および／または音声を上記第２の記録媒体に撮影記録する第２のステップと、
上記各番組に必要な映像および／または音声を所定単位ごとに選択される第３のステップと、
上記第２のステップで記録された上記映像および／または音声のうち、上記第３のステップで選択された所定単位ごとの上記識別符号に対応する映像および／または音声信号のみを第１の記録媒体に記録されるとともに、上記番組構成表の各番組に必要な所定単位ごとに第１の記録媒体に記録された映像および／または音声が表示される第４のステップと
を備えた編集方法。
【請求項２７】
上記第１のステップで表示された番組構成表には、識別符号が付された上記所定単位ごとに、上記所定単位の先頭フレームが表示され、
上記第３のステップは、上記第１のステップで表示された前後のフレームから各番組に必要な映像および／または音声を選択することを特徴とする請求の範囲第２６項記載の編集方法。
【請求項２８】
上記第４のステップで表示される映像は、記録された順番に所定時間ごとにフレーム単位で表示されることを特徴とする請求の範囲第２６項記載の編集方法。
【請求項２９】
上記第４のステップで上記番組構成表に表示される上記映像および／または音声に対して、特殊効果を施すよう選択操作する操作ステップと、
上記操作ステップで操作された操作情報に基づいて上記第１の記録媒体に記録された映像および／または音声信号に対し特殊効果処理がなされる特殊効果処理ステップと、
上記特殊効果処理ステップで処理された上記映像および／または音声信号は再び上記第１の記録媒体に記録される再記録ステップとをさらに有することを特徴とする請求の範囲第２６項記載の編集方法。
【請求項３０】
上記第４のステップで記録された順番で上記所定時間ごとにフレーム表示された上記映像に対し、映像の開始フレームと終了フレームとを選択決定する選択決定ステップと、
上記選択決定ステップで決定された上記開始フレームと上記終了フレームとともに、上記開始フレームから上記終了フレームまでの映像が上記番組構成表に表示される表示ステップとをさらに有することを特徴とする請求の範囲第２６項記載の編集方法。
【請求項３１】
上記撮像装置の第２の記録媒体はテープカセットであり、該テープカセットにはメモリ手段を有し、
上記撮像記録手段で記録される識別符号は上記メモリ手段に記録され、上記映像および／または音声信号は上記テープカセットのテープに記録されることを特徴とする請求の範囲第２６項記載の編集方法。
【請求項３２】
上記第３のステップで、上記番組編成表の識別符号が付されずに上記第２の記録媒体に記録された映像および／または音声信号についても、この映像および／または音声を選択し得るように制御されることを特徴とする請求の範囲第２６項記載の編集方法。
【発明の詳細な説明】
技術分野
本発明は、映像および／または音声素材を編集する編集装置、編集システムおよび編集方法に関する。
背景技術
素材テープ、ビデオカメラ、マイクロフォン等の複数のソースから映像素材および／または音声素材を取り込んで編集し、一連の素材とする編集装置が提供されている。
上記編集装置としては、例えば、複数の再生用ＶＴＲを並列に設置し素材を再生し、これらの素材から必要な部分を選択して逐次に接続し記録するという方法によるものがある。このような方法による編集装置には、従来広く用いられてきた。
一方、ノンリニア編集装置システムと称される編集装置が提供されている。このノンリニア編集システムは、編集の際の一時記録媒体として、例えば、ハードディスクのようなランダムアクセス可能な記録媒体に素材の記録や再生が行うことができ、シーケンシャルではない編集が可能である。従って、所望の映像素材の迅速な読出しと、一連の映像素材に対する素材の挿入および削除を不具合なく行うことができ、編集作業の操作性を向上させる。
ところで、近年、ＶＴＲ、ビデオカメラ等の映像および／または音声関連の装置の普及は著しく、上記映像および／または音声関連の装置の普及に伴い、素材の編集を行う編集装置に対する需要も拡大している。
このような、編集装置は、この装置を操作する操作者の熟練度等の種々の制約を受けた状態で使用される場合も少なくない
上記ノンリニア編集システムは、実際に映像素材を用いて編集を行うには、映像の編集に関する一定の専門知識が要求される。従って、上記ノンリニア編集装置は、操作者に一定の専門知識がない場合に充分な機能を発揮させることは難しいという問題点がある。
本発明は、上述したような問題点に鑑みてなされたものであり、上述のような編集装置、編集システムにおいて、実際に映像および／または音声を用いて編集を行う場合に操作者の熟練度など種々の制約を受けたとしても、充分にその機能を発揮させることができるような編集装置、編集システムおよび編集方法を提供することを目的とする。
発明の開示
本発明に係る編集装置は、ノンリニアアクセス可能な第１の記録媒体と、上記第１の記録媒体に映像および／または音声信号を記録する記録手段と、番組の構成に基づいて各番組に必要な映像および／または音声が所定単位ごとに示された番組構成表が表示される表示手段と、上記表示手段に表示された番組構成表を操作する操作手段と、上記番組構成表の上記所定単位ごとに付された識別符号を上記操作手段を用いて上記番組構成表に登録させ、登録された上記識別符号が示す所定単位の映像および／または音声のうち上記操作手段の操作により選択された所定単位の映像および／または音声のみを上記記録手段が上記第１の記録媒体に記録するよう制御する制御手段とを備え、上記制御手段は、上記識別符号を、上記番組編成表に登録させるとともに、撮像のための第２の記録媒体に記録し、この識別符号に対応して上記撮像装置が上記第２の記録媒体に記録した映像および／または音声を、上記識別符号に基づいて上記第１の記録媒体に記録するように制御することを特徴とする。
また、本発明に係る編集方法は、番組の構成に基づいて各番組に必要な映像および／または音声が所定単位ごとに表示されるとともに、該所定単位ごとに識別符号が付された番組構成表を表示する第１のステップと、上記各番組に必要な映像および／または音声を所定単位ごとに選択される第２のステップと、上記第２のステップで選択された所定単位ごとの映像および／または音声に対応する映像および／または音声信号のみが第１の記録媒体に記録されるとともに、上記番組構成表の各番組に必要な所定単位ごとに記録された映像および／または音声が表示される第３のステップとを備え、上記第１のステップでは、上記識別符号を、上記番組編成表に登録させるとともに、撮像のための第２の記録媒体に記録し、上記第３のステップでは、上記識別符号に対応して上記撮像装置が上記第２の記録媒体に記録した映像および／または音声を、上記識別符号に基づいて上記第１の記録媒体に記録するように制御することを特徴とする。
さらに、本発明に係る編集システムは、編集装置と撮像装置とからなる編集システムであって、上記編集装置は、ノンリニアアクセス可能な第１の記録媒体と、上記第１の記録媒体に映像および／または音声信号を記録する編集記録手段と、番組の構成に基づいて各番組に必要な映像および／または音声が所定の単位ごとに示された番組構成表が表示される表示手段と、上記表示手段に表示された上記番組構成表を操作する操作手段と、上記番組構成表の上記所定単位ごとに付けられた識別符号を上記操作手段を用いて上記番組構成表に登録させ、上記表示手段に表示させる制御手段とを有し、上記撮像装置は、上記表示手段に表示された上記番組構成表の上記所定単位ごとに付けられた上記識別符号を入力する識別符号入力手段と、入力された上記識別符号に対応する上記所定単位の映像および／または音声とを撮像し、上記識別符号とともに上記撮像された映像および／または音声信号とを第２の記録媒体に記録する撮像記録手段と、上記第２の記録媒体に記録された上記識別符号と、上記映像および／または音声信号を出力する出力手段とを有し、上記制御手段は、上記識別符号を、上記番組編成表に登録させるとともに、撮像のための第２の記録媒体に記録し、上記登録された識別符号が示す上記所定単位の映像および／または音声のうち上記操作手段の操作により選択された上記所定単位の映像および／または音声信号のみを上記撮像装置の出力手段から出力させ、上記第１の記録媒体に上記編集記録手段によって記録されるよう制御することを特徴とする。
さらに、本発明に係る編集方法は、番組の構成に基づいて各番組に必要な映像および／または音声が所定単位ごとに表示されるとともに、該所定単位ごとに識別符号が付された番組構成表を表示し、上記識別符号を、上記番組編成表に登録させるとともに、撮像のための第２の記録媒体に記録する第１のステップと、上記第１のステップで表示された識別符号に基づいて上記各番組に必要な映像および／または音声を上記第２の記録媒体に撮影記録する第２のステップと、上記各番組に必要な映像および／または音声を所定単位ごとに選択される第３のステップと、上記第２のステップで記録された上記映像および／または音声のうち、上記第３のステップで選択された所定単位ごとの上記識別符号に対応する映像および／または音声信号のみを第１の記録媒体に記録されるとともに、上記番組構成表の各番組に必要な所定単位ごとに第１の記録媒体に記録された映像および／または音声が表示される第４のステップとを備えることを特徴とする。
【図面の簡単な説明】
図１は、本発明の一実施の形態に係る編集システムの全体の構成を概略的に示すブロック図である。
図２は、編集の手順をそれぞれ対応する画面によって示す図である。
図３は、初期画面を示す図である。
図４は、初期画面から開かれた番組選択画面を示す図である。
図５は、新規に番組を登録する状態の番組選択画面を示す図である。
図６は、番組を選択して番組構成表を開こうとしている状態の番組選択画面を示す図である。
図７は、素材名を入力している状態の番組選択画面を示す図である。
図８は、素材を記録中の状態の番組選択画面を示す図である。
図９は、素材ＩＤを付して素材を撮影した場合の番組選択画面を示す図である。
図１０は、素材をモニター中の状態を示す図である。
図１１は、全ての素材の記録が完了した状態の番組選択画面を示す図である。
図１２は、効果設定前の状態の編集画面を示す図である。
図１３は、効果パターン設定を行っている状態の編集画面を示す図である。
図１４は、効果時間設定を行っている状態の編集画面を示す図である。
図１５は、編集点の入力を行っている状態の編集画面を示す図である。
図１６は、ジョグ／シャトルダイアルを示す模式図である。
図１７は、音声効果ウィンドウを示す図である。
図１８は、ＤＳＫ（ディジタル・スチル・キーイング）効果の設定を行っている状態の編集画面を示す図である。
図１９は、ＤＳＫ（ディジタル・スチル・キーイング）効果の追加設定を行っている状態の編集画面を示す図である。
図２０は、音声の記録／モニタを行っている状態の編集画面を示す図である。
図２１は、素材画面を示す図である。
図２２は、素材カットの切り出しを行っている状態の素材画面を示す図である。
図２３は、素材カットの切り出しが終了した状態の素材画面を示す図である。
発明を実施するための最良の形態
以下、本発明に係る編集装置、編集システムおよび編集方法の好ましい実施の形態について、図面を参照しながら詳細に説明する。
図１に、本発明に係る一実施の形態となる編集装置と、この編集装置に接続される周辺機器とからなる編集システムを示す。すなわち、図１に示す編集システムは、再生用ディジタルＶＴＲ１と、ビデオカメラ２と、マイクロフォン３と、効果音再生部４と、編集装置１０と、記録用ディジタルＶＴＲ５と、映像モニタ６とによって構成される。
再生用ディジタルＶＴＲ１は、テープ再生部１ａと、メモリ読み取り部１ｂとから構成される。取材等によって得られた映像素材と素材ＩＤ等との情報は、それぞれ素材カセットテープ１０１のテープ部とメモリ部とに記録されている。再生用ディジタルＶＴＲ１は、テープ再生部１ａでカセットテープ１０１のテープ部に記録された映像素材を、メモリ読み取り部１ｂでカセットテープ１０１のメモリ部に記録された映像素材に対応する素材ＩＤをそれぞれ読み取る。このカセットテープ１０１に記録された映像素材と音声素材とは撮像装置１０２で撮影記録されたものである。この撮像装置１０２には、映像素材間前後のフレームやシーンチェンジ前後のフレーム等のフレーム（インデックスピクチャと称される）を自動的にカセットテープ１０１のテープ上に記録する映像・音声記録再生回路１０２ｃ内にあるインデックスピクチャ記録回路１０２ａが設けられている。インデックスピクチャは例えばこのインデックスピクチャ記録回路１０２ａで１／１６に間引きされるとともに、インデックスピクチャ記録回路１０２ａ内に設けられたメモリ１０２ｂに格納され、撮影が終了し撮像装置１０２からカセットテープ１０１を取出すときに複数の間引きされたフレーム、すなわち複数のインデックスピクチャがカセットテープ１０１に記録される。そして撮影が終了したカセットテープ１０１を再生用ディジタルＶＴＲに挿入すると、自動的にカセットテープ１０１から複数のインデックスピクチャが再生される。
ビデオカメラ２は、映像素材を取得し、その映像素材を映像素材編集装置１０に出力する。マイクロフォン３は、音声素材を取得し、その音声素材を映像編集装置１０に出力する。効果音再生部４は、映像編集装置１０の制御に下に効果音を再生し、この効果音を映像編集装置１０に出力する。
記録用ディジタルＶＴＲ５は、映像編集装置１０による編集が完了した映像素材および／または音声素材を編集済みテープ１０３に記録する。映像モニタ６は、映像編集装置１０によって編集され、記録用ディジタルＶＴＲ５において編集済みテープ１０３に記録される映像素材をモニタする。編集が完了した映像素材とともに音声素材を確認したい場合は、映像モニタ６に接続された図示しないスピーカからの出力により確認できる。
映像編集装置１０は、編集制御部１１と，ＨＤＤ（ハードディスクドライブ）１２と、映像選択部１３と、音声選択部１４と、音声ミキサ１５と、映像特殊効果装置１６と、表示部１７と、入力操作部１８ととによって構成される。
編集制御部１１は、映像編集装置１０と、映像編集装置１０に接続される周辺の機器とを制御する。すなわち、この編集制御装置１１は、映像編集装置１０においては、ＨＤＤ１２と、映像選択部１３と、音声選択部１４と、音声ミキサ１５と、映像特殊効果装置１６と、表示部１７と、入力操作部１８とを協調して動作させるよう制御する。また、この編集制御部１１は、周辺の機器として再生用ディジタルＶＴＲ１と、効果音再生部４と、記録用ディジタルＶＴＲ５と、協調して動作させるよう制御する。そして、この編集制御部１１は、予め与えられたプログラムおよび再生用ディジタルＶＴＲ１のメモリ読み取り部１ｂにおいて素材カセットテープ１０１のメモリ部から読み出した素材ＩＤ等のデータに基づいて制御を行う。
ＨＤＤ１２は、編集制御部１１の制御によって、映像素材や音声素材等を蓄積し、その映像素材等を適宜読み出してあるいは書込んで、この映像編集装置１０において編集を行い、また、音声ミキサ１５および映像特殊効果装置１６によって映像素材等の加工を行う。そして、このようにして編集および加工を行った映像素材等を、インターフェースを介して周辺の機器に供給する。
すなわち、このＨＤＤ１２には、編集制御部１１の制御によって、映像選択部１３から映像素材が、音声選択部１４から音声素材が入力される。また、ＨＤＤ１２と音声ミキサ１５とは音声素材の、ＨＤＤ１２と映像特殊効果装置１６とは映像素材の、入出力が行われる。そして、映像素材および音声素材をこの映像編集装置１０からの出力として、記録用ディジタルＶＴＲ５および映像モニタ６に供給する。
映像選択部１３は、編集制御部１１の制御によって、再生用ディジタルＶＴＲ１と、ビデオカメラ２とから出力された映像素材の選択を行い、この選択された映像素材をＨＤＤ１２に出力する。
音声選択部１４は、編集制御部１１の制御によって、再生用ディジタルＶＴＲ１と、マイクロフォン３と、効果音再生部４とから出力される音声素材の選択を行い、選択された音声素材をＨＤＤ１２に出力する。
音声ミキサ１５は、編集制御部１１の制御により、ＨＤＤ１２から音声素材が入力されて、この音声素材に加工を施し、ＨＤＤ１２に出力する。
映像特殊効果装置１６は、編集制御部１１の制御により、ＨＤＤ１２から映像素材が入力されて、この映像素材に特殊効果処理を行い、ＨＤＤ１２に出力する。
表示部１７は、編集制御部１１から編集に係わる映像素材、音声素材用の種々の情報を受け取り、この情報を表示する。この表示部１７により操作者は現在の編集の進捗状況等を把握することができる。
入力操作部１８は、マウス、キーボード、ジョグ・シャトルダイアル等からなり、映像編集装置１０に対する映像音声素材の入出力操作や、ＨＤＤ１２への記録再生動作や、特殊効果装置１６への特殊効果処理の操作、音声ミキサ１５への音声加工処理の操作等の各種操作を行うため、表示部１７とともに操作者とのユーザインターフェースとなっている。
上述したように、本実施例における映像編集システムは、外部機器として、再生用ディジタルＶＴＲ１、ビデオカメラ２、マイクロフォン３、効果音再生部４、記録用ディジタルＶＴＲ５と、映像編集装置１０とから構成される。すなわち、映像素材などが記録されたテープを再生する再生用ディジタルＶＴＲ１と、ビデオカメラ２と、マイクロフォン３と、効果音再生部４とからなる外部機器と、再生用ディジタルＶＴＲ１とカメラ２からの映像素材を選択する映像選択部１３と、再生用ディジタルＶＴＲ１とビデオカメラ２とからの音声素材を選択する音声選択部１４と、映像選択部１３から選択された映像素材や音声選択部１４で選択された音声素材を蓄積するノンリニアアクセス可能な記録媒体としてのＨＤＤ１２、キーボードやマウス等から構成される入力操作部１８と、この入力操作部１８からの操作情報により映像編集装置１０等を制御する編集制御部１１と、編集素材情報などを表示する表示部１７と、映像素材に特殊効果を施す特殊効果装置１６と、音声素材に加工を施す音声ミキサ１５とから構成された映像編集装置１０と、さらに外部機器として記録用ディジタルＶＴＲ５とから構成されている。
次に上記編集装置を用いて映像素材、音声素材の編集を行う方法は、次に述べる２つの方法が考えられる。
第１の方法は、映像編集装置１０で予め番組で必要な素材を決定し、その決定された情報に基づいて実際に映像素材、音声素材を撮影する。撮影が終わったあと、撮影前に予め決められた素材が実際に撮影されたかどうか確認しながら、その素材を映像編集装置１０に記録し、これらの素材の編集を行って、記録用ＶＴＲ６で放送用の素材を作成する。
第２の方法は、最初に撮影された素材をすべて映像編集装置１０に格納させ、その後番組に必要な素材を選択、編集し記録用ＶＴＲ６に出力する。
第１の方法は、予め決められた素材を撮影して、その後編集装置１０で編集を行う方法であるが、第２の方法はとにかく素材を集めその中から必要な素材を選択する方法である。以下本実施例では、第２の方法において編集装置１０を用いた映像素材、音声素材の編集方法を述べることにする。また本発明では、映像編集装置１０の表示部１７に表示されるＧＵＩ（グラフィックユーザーインターフェース）上で素材の再生用ＶＴＲ１から編集装置１０への記録、素材の編集を行うものである。したがって、まず以下に編集装置１０の表示部１７に表示される各画面の説明をし、その後各画面の操作方法を述べることにする。
図２には、映像編集装置１０の表示部１７に表示される各画面と、各画面間の間の関係が示されている。図２に図示されているように、各画面は初期画面２１と、番組選択画面２２と、番組選択画面２３と編集画面２４と、素材画面２５とユーティリティ画面２６との６種類の画面からなる。初期画面２１からは、番組選択画面２２と素材画面２５とユーティリティ画面２６との３種類の画面に移行することができる。また、これら３種類の画面から初期画面２１に移行することもできる。また、番組選択画面２２と、番組構成画面２３と、編集画面２４との画面の間は相互に移行することができる。上述した６種類の各画面は、予め編集制御部１１の図示しないＲＯＭに格納されて、表示部１７に表示される画面であり、入力操作部１８の操作により各画面の操作および各画面間の移行を行うことができる。詳細は後述する。
ここで上述した、初期画面２１、番組選択画面２２、番組構成画面２３、編集画面２４、素材画面２５及びユーティリティ画面２６の各画面について説明する。
初期画面２１は、映像編集装置１０の電源が投入されたときまたは映像編集装置１０がリセットされたときなどに表示部１７に表示される。もちろん、他の各画面から移行することで表示される。操作者はこの初期画面２１から実際に入力操作部１８を操作することで他の画面に移行することができる。
図３に示すように、初期画面２１は“番組選択／構成／編集”が表示されたタイトルバー３１と、“素材”が表示されたタイトルバー３２と、“ユーティリティ”が表示されたタイトルバー３３との３つのタイトルバーが画面に表示されている。
操作者は、入力操作部１８を操作すること、例えば上述した３つのタイトルバーのの一つを入力操作部１８を構成するマウスをクリックして選択することで対応する画面に移行することができる。すなわち、“番組選択／構成／編集”が表示されたタイトルバー３１を選択すると、番組選択画面２２に移行する。“素材”が表示されたタイトルバー３２を選択したときは、素材画面２５に移行する。“ユーティリティ”が表示されたタイトルバー３３を選択したときは、ユーティリティ画面２６に移行する。
次に番組選択画面２２について説明する。番組選択画面２２は、初期画面２１から、または番組構成画面２３および編集画面２４から移行できる。番組選択画面２２は、番組名の登録や、登録した番組名の削除を行う。
図４に示すように番組名表示画面３４と操作メニュー３５とスクロールバー３５とが、番組選択画面２２に表示される。
図４に示すように、番組名表示画面３４は、最上位の行に左から右の順に、“番組ＩＤ”と、“番組名”と、“制作担当”と、“登録日”と、“完成予定日”と“備考”とから構成され、それぞれの列はこれらに対応する項目を示している。
この番組選択画面２２の最下部に表示されている操作メニュー３５は、“新規”、“削除”、“開く”、“保存”、“変更”、“構成”、“Ｑシート”、“終了”の８つのボタンから構成されている。
番組名表示画面３４の右側には、スクロールバー３６が表示される。スクロールバー３６のスクロールボタン３６ａを入力操作部１８の操作、例えばマウスの操作によって、番組名表示画面３４を上下にスクロールさせることができる。
番組選択画面２２の図４における状態は、初期画面２１からのこの番組選択画面２２を開いたときの一例である。ここでは、番組名表示画面３４にすでに番組ＩＤ“０００１”、番組名“社内ニュース第７０号”が登録されている状態を示している。すなわち、番組名表示画面３４の第１行には、番組ＩＤ“０００１”、番組名“社内ニュース第７０号”、制作担当“矢藤”、登録日“’９３．８．２５”、完成予定日“’９３．９．１４”が登録されて、この“社内ニュース第７０号”という番組名の番組ＩＤ、番組制作担当者、この画面に登録した登録日、番組の完成予定日といった、番組に関する各種情報を示している。
なお、番組の構成は、この番組選択画面２２によって取材前に行い、その後取材によって取得した素材を各番組ごとに映像編集装置１０のＨＤＤ１２に記録するという手順により映像素材の編集は行われる。すなわち、番組選択画面２２において番組名表示画面３４に示した各項目への必要事項の入力を終えた後に、素材取得のための取材に出向き、その後取材によって取得した素材を、番組表示画面に入力した各番組名ごとに映像編集装置１０のＨＤＤ１２に記録する。
図５には、番組選択画面２２に新規に番組を登録するときの画面の状態が示されている。
新規に番組を登録するには、操作メニュー３５の、“新規”ボタン３８を入力操作部１８を操作することにより、例えばマウスをクリックすることにより行われる。そして、番組名表示画面３４の所望の行をマウスにてクリックすることにより、番組を新規に登録する行の位置を選択する。図５に示された例では、第４行を選択するとハイライト表示された選択行３９となり、この行に対して新規の番組を登録することができる。なお、本実施例でハイライト表示とは、他のボタンと区別可能に表示されることいい、色が異なる表示も含む。
なお、番組名表示画面３４の第４行の“番組ＩＤ”の欄には既に“０００４”と表示されている。すなわち、本実施例では“新規”ボタンで番組が新規に登録され、選択行３９がハイライト表示されたとき、自動的に番組ＩＤが発行されるようにしている。
図６には、番組選択画面２２において、予め番組名表示画面３４に入力された番組を選択して番組構成を示す番組構成画面２３を開く直前の状態を示している。
番組名表示画面３４において、第３行の番組ＩＤ“０００３”番組名“社内ニュース番組第７２号”をマウスでクリックして選択すると、この行４１はハイライト表示されて選択されたことを示す。そして、操作メニュー３５の“開く”ボタン４０を入力操作部１８で操作、例えばマウスにてクリックすると、この番組に対応する番組構成画面に移行する。
次に番組構成画面２３について説明する。
番組構成画面２３は、番組選択画面２２にて登録された各番組に関する、各番組ごとの映像素材の登録を行う画面であり、番組選択画面２２から移行することができる。また、前述した初期画面２１からも必要に応じて移行することも可能である。さらに後述する編集画面２４から移行することもできる。
番組構成画面２３は、図７に示すように、番組名表示欄４２と、素材名表示画面６３と、操作メニュー３５と、スクロールバー３６と、モニタースクロールバー４３とから構成されている。番組構成画面２３は、番組ごとの素材名の記録、ディジタルスチルキーイング（以下、ＤＳＫと記す）素材の登録、登録された素材の映像編集装置１０のＨＤＤ１２への記録、素材のモニタを主に行う。
番組構成画面２３の各項目について図７を用いて説明する。
番組表示欄４２は、番組ＩＤ４２ａと、番組名４２ｂとから構成される。番組選択画面２２において登録された各番組の番組ＩＤと番組名とがこの番組表示欄４２の番組ＩＤ４２ａと番組名４２ｂとにそれぞれ表示される。図７の例では、図６において登録、選択された番組ＩＤ“０００３”、番組名“社内ニュース第７２号”に対応する番組構成画面２３が表示されている状態を示している。また、番組構成画面２３は、映像編集装置１０の表示部１７に表示され各項目への入力等の操作は、映像編集装置１０の入力操作部１８を操作することで行う。
素材名表示画面６３は、左から右の順に“素材ＩＤ”、“素材名”、“素材時間”、“担当”、“記録日”、“モニタ”とから構成されている。
“素材ＩＤ”は、取材等で取得した映像（音声）素材ごとに付けられるＩＤである。“素材名”は、取材等で取得した映像（音声）素材ごとに付けられる名称である。“素材時間”は、“素材名”および“素材ＩＤ”で分けられた各素材が映像編集装置１０のＨＤＤ１２に記録される時間を示す。また、素材が記録途中であるなら、記録されている素材の記録時間によってカウントアップする。“担当”は、各素材の映像取得や記録等の担当者を示す。素材ＩＤおよび素材名で分けられた各素材の担当者は誰であるのか、この“担当”を見ることによって把握することができる。“記録日”は、素材ＩＤおよび素材名で分けられた各素材の映像編集装置１０のＨＤＤ１２への記録日が示されている。“モニタ”欄には、ＨＤＤ１２に記録された映像が俯瞰表示されるために設けられた項目である。この“モニタ”に表示される映像の俯瞰表示に関しては、後述する。ちなみに図７の例では、素材名表示画面６３の第５行に素材ＩＤ、素材名の入力を行っている状態を示し、各素材の記録が行われていない状態であるので、素材名表示画面６３の“素材時間”、“記録日”、“モニタ”の欄はすべて空白である。“素材名”への入力と“素材ＩＤ”の入力は、関連して行われ、例えば“素材名”を入力すると同時に“素材ＩＤ”が表示され登録されることもできる。
番組構成画面２３の最下部に表示されている操作メニュー３５は、“新規”、“削除”、“変更”、“保存”、“ＲＥＣ”、“ＭＯＮＩ”、“ＳＴＯＰ”、“Ｑシート”、“終了”の９つのボタンから構成されている。
操作メニュー３５の“新規”は、素材を新規に登録するためのボタンである。新規に素材を登録する場合は、素材名表示画面６３の新規な登録を行う行の位置で入力操作部１８を操作することで選択され、操作メニュー３５の“新規”ボタン３８を入力操作部１８の操作、例えばマウスでクリックすることで選択されると、素材の登録されるべき行がハイライト表示され、新規な素材を入力することができる。図７の例では、素材名表示画面６３の第５行が選択され、“新規”ボタン３８を入力操作部１８によって操作されている状態を示す。
操作メニュー３５の“削除”は、素材表示画面６３に入力または登録された各素材の項目を削除するためのものである。素材表示画面６３の削除したい行の位置で入力操作部１８を操作して選択し、操作メニュー３５の“削除”を入力操作部１８の操作、例えばマウスをクリックすることで行全体が削除される。また、各素材ごとの各項目、例えば素材名のみを入力操作部１８で選択し、操作メニュー３５の“削除”を入力操作部１８の操作、例えばマウスでクリックすることで素材名のみが削除される。
操作メニュー３５の“変更”は、素材名表示画面６３の入力または登録された各素材の項目を変更するためのものである。例えば、素材名表示画面６３の変更した行を入力操作部１８の操作により選択し、“変更”を入力操作部１８の操作により選択すると、素材名表示画面６３の“素材ＩＤ”に入力が促される表示、例えば”素材ＩＤ”の項目中にプロンプトが表示される。
操作メニュー３５の“保存”は、素材表示画面の各項目または全体を保存するためのものである。例えば、素材名表示画面６３の保存した行を入力操作部１８の操作により選択し、“保存”を入力操作部１８の操作により選択すると、素材名表示画面６３の選択された行全体が保存される。
操作メニュー３５の“ＲＥＣ”、“ＭＯＮＩ”、“ＳＴＯＰ”は、それぞれ素材表示画面６３で選択された各素材の記録、モニター、記録の停止を行うためのものである。詳細は後述する。
図７では、番組表示欄４２に、番組ＩＤ４２ａ“００３”、番組名“社内ニュース第７２号”が表示され、この番組構成画面２３は、この番組の構成を表示している。
図７の素材名表示画面６３は、第１行目に素材ＩＤ“Ｖ００５−０３”、素材名“オープニングタイトル”、担当“浜畑”が表示され、第２行目には素材ＩＤ“Ｔ００１−００”、素材名“第７２号”、担当“矢藤”、第３行目には素材ＩＤ”Ｖ０００−００”、素材名“ヘッドライン”、担当“矢藤”、第４行目には素材ＩＤ“Ｖ００１−００”、素材名“スタジオ収録１”、担当”矢藤”が表示されている。第５行目は、上述したように素材ＩＤ“Ｖ００２−００”、素材名“取材カット１”が新規に入力された状態を表示している。
ここで、第２行の素材ＩＤ“Ｔ００１−００”をもつ素材は、第１行の素材ＩＤ“Ｖ００５−０３”をもつ素材のバックグラウンドとして、ＤＳＫをする素材であり、素材ＩＤの頭文字“Ｔ”および“Ｓ”で区別する。ちなみに上述した一連の作業は、実際に素材を撮影する取材前の時点で行われ、撮影者はこの番組構成画面２３に登録された素材ＩＤをもとに素材を撮影する。すなわち、撮影者はこの登録された素材ＩＤを撮影する直前に撮影機器、たとえばＶＴＲ一体型カメラの操作ボタンあるいはＧＵＩを操作することで素材ＩＤをこのカメラに入力させ、例えば素材テープカセット１０１のメモリーカセットに記録した後、素材を撮影する。この撮影者の撮影方法で、素材と素材ＩＤとが対応するように素材テープカセットに記録される。
図８は、番組構成画面２３において、素材ＩＤおよび素材名で分けられた各素材の映像編集装置１０のＨＤＤ１２への記録が行われている状態が示されている。
図８の素材名表示画面６３において、第１行目の素材ＩＤ“Ｖ００５−０３”と、第２行目の素材ＩＤ“Ｔ００１−００”と、第３行目の素材ＩＤ”Ｖ０００−００”および、第４行目の素材ＩＤ“Ｖ００１−００”の各素材のモニタ４７には、素材の映像が俯瞰表示されており、これらの素材は既にＨＤＤ１２に記録されていることを示す。なお、第２行目の素材ＩＤ“Ｔ００１−００”を持つ素材は、静止画像であるので映像は俯瞰表示されず、１枚の映像からなっている。
また、素材名表示画面６３の素材時間および記録時間の項目には、映像素材が記録されたときに入力される項目であるので、図８に示すように素材名表示画面６３の第１行名から第４行目までそれぞれ素材ＩＤおよび素材名に対応する各素材の記録時間および記録日が表示される。また、素材表示画面６３の第２行目の素材ＩＤ“Ｔ００１−００”をもつ素材は、静止画像であるので素材時間の項目は空白のまま、表示されない。
素材の記録を行うには、素材名表示画面６３において登録された所望の素材を示す行を入力操作部１８の操作により選択し、操作メニュー３５の“ＲＥＣ”ボタン４４を入力操作部１８で操作することで選択することで、素材の記録が開始される。
図８に示した例では、素材名表示画面６３の第５行目の素材ＩＤ“Ｖ００２−００”素材名“取材カット１”に対応する素材が選択され、記録されている。“ＲＥＣ”ボタン４４も選択された素材に対してハイライト表示され、この行が選択されたことを示す。第５行目の素材は記録進行中を示し、モニタ４７には映像が俯瞰表示され、記録の進行状況を表示する。したがって、映像素材の記録の進行状況をリアルタイムに知ることができる。なお、本実施例において、映像の俯瞰表示とは、対応する素材の一連の映像から一定間隔毎に映像を抽出し、抽出された映像を重ねて表示したものである。
素材名表示画面６３の第５行目の素材ＩＤに対応する素材の記録が終了したとき、素材名表示画面６３のモニタ４７には、対応する素材の俯瞰表示された映像がすべて出そろい、映像素材が記録されたことの確認や映像素材の内容確認することができる。すなわち、素材ＩＤに対応する素材が映像編集装置１０のＨＤＤ１２に記録される前には、図８における素材名表示画面６３の第７行目および第８行名に表示されているようなインデックスピクチャと呼ばれるフレームが表示されているだけであるが、上述した方法によりＨＤＤ１２への記録中、あるいは記録が終了した時点で素材名表示画面６３のモニタ４７には俯瞰表示された映像が表示されるのである。
すなわち、上述の図７における番組構成画面２３の素材名表示画面６３への入力が終了した後、実際の素材の撮影を行い、撮影を終えた素材テープカセット１０１を再生用ディジタルＶＴＲ１に挿入して再生すると、まず素材と素材との間の前後のフレームや、シーンチェンジの前後のフレーム等（これらのフレームが上述のインデックスピクチャと称される）が自動的に一覧表示されるよう記録された素材が、まず番組構成画面２３のモニタ４７に図８における第７行目および第８行目のように、番組構成画面２３のモニタ４７全体が表示される。つまり、素材ＩＤに対応するインデックスピクチャのみが、まず番組構成画面２３のモニタ４７に表示される。これは、撮影機器側に上述したインデックスピクチャを記録する機能があり、それが再生用ディジタルＶＴＲ１でまず再生されるからである。そして、上述した操作により、映像編集装置１０のＨＤＤ１２への記録が終了すると番組構成画面２３のモニタ４７には、俯瞰表示された映像が表示されるのである。
上述したように、番組構成画面２３の素材名表示画面６３に表示されている素材ＩＤに対応する素材を操作メニュー３５の“ＲＥＣ”ボタン４４を操作することによって自動的にその素材のみを映像編集装置１０の記録媒体に記録することができる。本実施例における記録媒体は図１にあるようにＨＤＤ（ハードディスク）１２である。このように、番組構成表の素材ＩＤに対応する素材を映像編集装置１０の記録媒体に記録できるのは、実際に素材を撮影する前に、カセットメモリー（メモリーインカセット：MIC）に素材ＩＤを記録することで、素材そのものとその素材のＩＤとを結びつきがされているためである。
すなわち、素材を撮影する直前に、素材カセットテープ１０１のＭＩＣに素材ＩＤを記録し、その後実際の素材ＩＤに対応する素材を素材カセットテープ１０１のテープ上にカメラ一体型ＶＴＲ等で記録する。そして、素材テープカセット１０１を再生用ディジタルＶＴＲ１に挿入して、入力操作部１８で操作した情報が編集制御部１１を介して再生用ディジタルＶＴＲ１のメモリ読み取り部１ｂへ出力され、このメモリ読み取り部１ｂでその操作した情報に対応する素材ＩＤをＭＩＣから読み取り、ＭＩＣ内では素材ＩＤに対応する実際の素材がテープ上のどこに記録されているかの情報をもっているので、その情報をたどって実際の素材をＨＤＤ１２に記録するのである。
以上のようにして、表示部１７に表示される上述した番組構成画面２３上で入力操作部１８の操作により、素材ＩＤに対応する素材のみをＨＤＤ１２に記録することができる。対応する素材をカメラまた、前述の番組選択画面２２で登録された各番組の番組構成画面２３に表示された各素材の記録は、素材名表示画面６３に表示されている登録された素材ＩＤに基づいて、自動的に行わせることもできる。
さらに図８において、素材ＩＤに対応する素材がないにもかかわらず撮影時に素材ＩＤを付して素材を撮影した場合に、任意の時点、例えば各素材ＩＤに対応する素材を番組構成画面２３を用いて画像編集装置１０のＨＤＤ１２に記録する前時点において番組構成画面２３上の別ウィンドウ上に、図９で示したように素材選択画面２３０が表示される。この素材選択画面２３０には、素材ＩＤ２３１が付けられてインデックスピクチャ２３２が表示されている。この素材ＩＤ２３１と素材ＩＤ２３１に対応するインデックスピクチャ２３２とは、素材を撮影する取材前に、番組構成画面２３の素材名表示画面６３に素材ＩＤが付けられた素材ではない素材がこの素材選択画面２３０上に表示される。そして、素材名表示画面６３の素材ＩＤに素材選択画面２３０の素材ＩＤ２３１を新規に登録すると、自動的にその素材が映像編集装置１０のＨＤＤ１２に記録される。この素材選択画面２３０が番組構成画面２３上に別ウィンドウとして表示される時点は、任意の時点でよく、例えば上述した以外でも番組名表示画面６３に予め登録した素材ＩＤのＨＤＤ１２への記録が終了した時点（図１１）でもかまわない。
また、番組構成画面２３に登録された素材の記録は、一時にすべてを記録せずに、記録できない素材は再生用ディジタルＶＴＲ１からＨＤＤ１２に記録されずＨＤＤ１２を介して記録用ディジタルＶＴＲ５に記録される。これは、ＨＤＤ１２の記録容量が限られており、たとえば素材名表示画面６３に表示される素材時間４６で１５分を超える素材に関しては、１５分までの時間に対応する素材をＨＤＤ１２に記録し、その時間を超える素材の部分は記録用ディジタルＶＴＲ５に直接記録され、記録用ディジタルＶＴＲ５から編集制御部１１を介して表示部１７に表示される。
図１０は、番組構成画面２３において、素材をモニタしている状態を示す。
この図１０に示した状態では、素材名表示画面６３の第７行の素材ＩＤ“Ｖ００４−００”、素材名“取材カット２”に対応する素材を除く素材の記録は完了している。この素材ＩＤ“Ｖ００４−００”に対応する素材の記録が完了していないことは、素材名表示画面６３の第７行目の素材時間が空白で、モニタ４７にはインデックスピクチャ（ＩＰ）のみが表示されていることで知ることができる。
記録された映像素材のモニタは、素材名表示画面６３において、所望の素材に対応する素材ＩＤや素材名から入力操作部１８の操作によって対応する素材表示画面の行を選択し、操作メニュー３５の“ＭＯＮＩ”ボタン５１を入力操作部１８の操作、例えばマウスをクリックすることで選択する。図１０において、素材名表示画面６３の第５行目の素材ＩＤ“Ｖ００２−００”、素材名“取材カット１”と、操作メニュー３５の“ＭＯＮＩ”ボタン５１がハイライト表示され、これらが選択されていることを示している。
選択された映像のモニターは、対応する素材のモニター４７に俯瞰表示された映像が、時間の経過とともに全面表示されることによって行われる。図１０には、素材名表示画面６３の第５行目の素材ＩＤ“Ｖ００２−００”（ハイライト表示されている行）に対応する映像素材５２が、順次全面表示されている状態を示す。映像編集装置１０への記録の進行に伴い映像が順次移動するので、モニターを行っている映像の位置をリアルタイムで知ることができる。なお、映像モニターの進行状況は、モニタースクロールバー４３のスクロールボタン４３ａの位置で示されている。
次に図１１は、番組構成画面２３に表示された各素材の映像編集装置１０への記録が完了した状態を示す。
全ての素材の記録が完了したことは、素材名表示画面６３において、各素材のモニター４２に各素材に対応する映像が俯瞰表示され、かつ各素材の映像の素材時間が素材表示画面６３の“素材時間”に表示されていることから知ることができる。なお、第２行目の素材ＩＤ“Ｔ００１−００”、素材名“第７２号”に対応する素材は、静止映像であることから“素材時間”は空白となっている。
次に編集画面２４について説明する。
編集画面２４は、上述した番組構成画面２３において映像編集装置１０に記録された映像素材や対応する音声素材の編集を行うための画面であって、例えば映像素材の特殊効果の設定、ＤＳＫの設定、トリミング、音声素材の記録とそのミキシング等を行う画面である。
編集画面２４は、番組構成画面２３の操作メニュー３５の“Ｑシート”ボタンを入力操作部１８の操作、例えばマウスをクリックして選択する操作で番組構成画面から移行することができる。
編集画面２４は図１２に示すように、番組表示欄４２と、ソース名表示画面６４と、操作メニュー３５と、スクロールバー３６とから構成されている。
番組表示欄４２は、番組構成画面２３における番組表示欄４２と同じ構成であり、番組構成画面２３の番組表示欄４２と同じ内容が表示される。すなわち、番組名表示画面４２は、編集画面２４の最上部に表示され、番組ＩＤ２４ａと、番組名２４ｂとから構成される。
ソース名表示画面６４は、最左列に上から下へ順に、“ソース”、“ビデオＡ”５３、“ビデオＢ”５４、“ビデオ効果”、“ＤＳＫ（ディジタルスチルキーイング）”５５、“ビデオＡ”（さらに第１行と第２行に分割、“ビデオＢ”（さらに第１行と第２行に分割）、“音声効果”、“アナウンス”、“効果音１”、“効果音２”の１０個の項目からなる。これら１０個の項目の詳細は後述する。
操作メニュー３５は、編集画面２４の最下部に表示され、左から右へ順に“ＤＳＫ新規”、“音声新規”、“削除”、“変更”、“保存”、“ＲＥＣ”、“ＭＯＮＩ”、“ＳＴＯＰ”、“自動効果処理”、“番組再生”、“終了”の１１個のボタンから構成される。これら１１個のボタンの詳細は後述する。
スクロールバー３６は、ソース表示画面６４の下側に表示され、スクロールボタン３６ａを入力操作部１８で操作することでソース表示画面６４を左右にスクロールさせることができる。
図１２に示された例は、番組ＩＤ“０００３”、番組名“社内ニュース第７２号”の番組に関する編集画面２４である。
上述したソース名表示画面６４の“ビデオＡ”５３および“ビデオＢ”５４には、各素材に対応する映像素材が俯瞰表示される。すなわち、“ビデオＡ”５３には素材ＩＤ“Ｖ００５−０３”素材名“オープニングタイトル”に対応する俯瞰表示された映像素材とこの映像素材の素材ＩＤおよび素材名がこの映像素材の上部に表示されている。さらに、素材ＩＤ“Ｖ００１−００”および素材ＩＤ“Ｖ００３−００”に対応する映像素材およびこの映像素材に対応する素材ＩＤおよび素材名も同様に表示されている。“ビデオＢ”５４も“ビデオＡ”５３同様に各素材ＩＤ、素材名および映像素材が俯瞰表示される。この”ビデオＡ“５３および“ビデオＢ”５４に表示された映像を使用して後述する映像の特殊効果を行う。
また図１２には、“ＤＳＫ”５５に素材ＩＤ“Ｔ００１−００”素材名“第７２号”に対応する素材が表示される。この“ＤＳＫ”５５には、キーイング処理を行う映像（静止画）が表示される。この“ＤＳＫ”５５から実際のキーイング処理は、後述する。
さらに図１２のソース名表示画面６４は、音声処理を行うためのビデオＡ５９１、ビデオＢ５９２、音声効果５９、アナウンス５９３、効果音１５９４および効果音２  ５９５が表示される。
ビデオＡ５９１およびビデオＢ５９２はそれぞれビデオＡ５３およびビデオＢ５４に対応する音声素材が表示される。表示は、例えば音声素材がレベル表示されたり、音声素材ＩＤもしくは、音声素材名が表示される。すなわち、図１２では、ビデオＡ５３の映像素材名“オープニング”と対応するようにビデオＡ５９１の音声素材が表示され、ビデオＢ５４の映像素材名“ヘッドライン”と対応するようにビデオＢ５９２の音声素材が表示される。本実施例では音声素材の出力チャンエルが２チャンネルであるので、ビデオＡ５９１およびビデオＢ５９２の表示はそれぞれ２つの行がある。
音声効果５９は、音声素材に対する特殊効果を設定するアイコンが表示され、ここで実際に音声効果が行われる。詳細は後述する。
アナウンス５９３は、撮影時に映像素材とともに記録された音声素材ではなく、記録後映像素材に対して、例えばアナウンサーが映像素材を見ながら発せられる音声素材があれば、ここに表示される。表示はレベル表示や、帯表示等、後付けで記録されたと理解できる表示が行われる。
効果音１  ５９４および効果音２  ５９５は、図１の効果音再生部４で再生された効果音があればここに表示される。表示はアナウンス５９３と同様な表示である。
この図１２に示された編集画面２４は、各種効果処理を行う前の状態である。
以上が編集画面２４における番組表示欄４２とソース名表示画面６４と操作メニュー３５とスクロールバー３６の説明である。
次に、編集画面２４を用いた映像の特殊効果の設定方法および音声効果の設定方法について説明することにする。まず映像の特殊効果の設定方法について説明する。
図１３は、編集画面２４において、映像特殊効果の設定を行っている状態を示す。
映像の特殊効果の設定は、編集画面２４のソース名表示画面６４のビデオ効果５６において行われる。すなわち、特殊効果を行っていない状態は、ビデオ効果５６に表示される各アイコンが５６ｄに表示されるような空白の状態になっている。
まず、すべて空白の状態になっているアイコンを特殊効果を行いたい位置に移動させる。すなわち、素材名“オープニング”の映像が徐々に薄くなって次の映像、素材名“ヘッドライン”が徐々に現れてくるようなディゾルブ処理を行いたい場合に、素材名“ヘッドライン”が表示されているビデオＢ５４の最初のフレームの位置に空白の状態になっているアイコンを移動させる。つまり、ビデオ効果５６の行に表示される各アイコンは、ビデオＡ５３とビデオＢ５４に対応するように表示され、左から右へ時系列的に表示されるのである。
次に、所望の位置に空白のアイコンを移動したら、ここでどのような特殊効果を行うのかを決定する。すなわち、空白のアイコンを、入力操作部１８の操作、例えばマウスでクリックする操作により選択すると、ビデオ効果選択ウィンドウ５７が表示される。ビデオ効果選択ウィンドウ５７は図１３に表示されているように、どのような特殊効果を行うのかを示すアイコンが示され、このウィンドウ５７の最右部のスクロールバー５７ｄと最下部のスクロールバー５７ｅを入力操作部１８の操作、例えばマウスでクリックする操作により、ビデオ効果選択ウィンドウ５７をスクロールさせることができる。
ここでは、素材名“オープニング”と素材名“ヘッドライン”との間で、ビデオ効果５６のアイコン５６ａの位置で上述したディゾルブ処理の効果を行いたいので、ビデオ選択ウィンドウ５７のディゾルブ処理用アイコン５７ａを、入力操作部１８の操作、例えばマウスをクリックする操作で選択することで、ビデオ効果５６の空白だったアイコンが図１３のアイコン５６ａのようにアイコン５７ａに変わる。つまり、図１３のビデオ効果５６の行において、アイコン５６ａの位置で、ビデオＡの素材名“オープニング”とビデオＢの素材名“ヘッドライン”とでディゾルブ処理を行うよう設定される。同様な操作により、図１３のビデオ効果５６の行に表示されているようにアイコン５６ｂ、およびアイコン５６ｃの位置でそれぞれアイコンに表示されている特殊効果が行われる。
また、図１３ではアイコン５６ｄが空白のままになっているが、これはまだどのような特殊効果を行うのか、ビデオ効果選択ウィンドウ５７の各アイコンが選択されていない状態を示すものであって、この位置で何も特殊効果が行われないことを示す。
ビデオ効果選択ウィンドウ５７は、上述したディゾルブ効果を行うアイコン５７ａ以外にも種々の効果を行うアイコンが表示されるが、図１３ではマルチエフェクタ処理を行うアイコン５７ｂや、映像のスライド処理を行うためのアイコン５７ｃ、映像のワイプ処理を行うためのアイコン５７ｅ等が表示される。もちろん、これ以外にも種々の特殊効果処理を示すアイコンが表示される。
続いて、特殊効果を行う映像素材の時間設定を行う。図１４にはその効果時間の設定を行っている状態を示している。
空白であったソース名表示画面６４のビデオ効果５６に表示されたアイコンが、ビデオ効果選択ウィンドウ５７の特殊効果を示すアイコンになり、続いて入力操作部１８の操作、例えばキーボードで“１５”と入力する操作で図１４のビデオ効果５６のアイコン５６ｄには、そのアイコン下部に１５というフレーム数が表示される。このフレーム数は、ビデオ効果を行うフレーム数を示し、図１４のアイコン５６ｄは、ビデオＡ５３の映像素材名“スタジオ収録２”とビデオＢ５４“取材カット１”との間でディゾルブ処理を、図１４に示された位置のままで、前のフレーム（この場合では素材名“取材カット１”）１５フレームまでさかのぼって、そのフレームからディゾルブ処理が行われ映像素材名“スタジオ収録２”の映像に画面がディゾルブ処理される。ここで、効果時間の設定を行わない場合には、予め決められた時間設定により効果時間が決定される。
次に映像特殊効果を行うべき映像素材の編集点を入力させて、映像特殊効果を行う編集点入力方法について説明する。
図１５には、編集画面２４において、編集点の入力を行っている状態の画面を示す。
編集点の入力は、図１６に示すジョグ／シャトルダイアルと呼ばれる入力操作部１８の一部、もしくは編集画面２４上の、または編集画面２４とは異なる画面上の表示、を操作することで行われる。以下は入力操作部１８の一部として記載する。詳細は後述する。
まず、図１５における編集画面２４のソース名表示画面６４のビデオＡ５３またはビデオＢ５４の俯瞰表示されている映像が、入力操作部１８の操作、例えばマウスでクリックする操作により選択されると、上述した図１６に示されたジョグ／シャトルダイアル７が有効になる。図１６に示したジョグ／シャトルダイアル７は、インボタン７ａとアウトボタン７ｂと、ダイアル７ｃとから構成されている。ダイアル７ｃはいわゆるジョグダイアルおよびシャトルダイアルと称されるものである。
このジョグ／シャトルダイアル７のダイアル７ｃを操作することで、特殊効果が行われる映像の位置が調整される。例えば、図１５の編集画面２４のビデオＢ５４の素材名“取材カット１”５４ｂにおいて、現在選択され前面表示されている映像素材５４ｄの位置は、ジョグ／シャトルダイアル７のダイアル７ｃによって操作することができる。すなわち、素材名“取材カット１”で示される映像素材の特殊効果が行われる位置が、ダイアル７ｃを左右に回転させることによて、特殊効果が行われる位置が調節できる。つまり、特殊効果を行う映像素材のイン点（特殊効果が行われる最初のフレーム）は、ダイアル７ｃを回転させてビデオＢ５４の映像素材名“取材カット１”で示される映像が動き、適当な位置でジョグ／シャトルダイアル７のインボタン７ａを押圧することで、イン点が決定される。同様にアウト点（特殊効果が行われる最後のフレーム）はジョグ／シャトルダイアル７のアウトボタン７ｂを押圧することで決定される。
以上が、ジョグ／シャトルダイアル７の操作により特殊効果が行われる映像の編集点の入力方法である。上述した例では、ジョグ／シャトルダイアル７は入力操作部１８の一部とした例であるが、このジョグ／シャトルダイアル７を表示するウィンドウが編集画面２４上にまたは別画面上に表示される例も考えられるが、この場合には、入力操作部１８の操作、例えばマウスでクリックする操作等によりインボタン７ａ、アウトボタン７ｂ、ダイアル７ｃが選択、回転されて上述した例と同等に編集点の入力が実現できる。
以上が、編集画面２４を利用した映像素材の特殊効果の設定方法である。
次に音声素材の音声効果の設定方法について説明する。
音声素材の音声効果は音声効果５９の行で行われ、映像素材のビデオ効果５６での操作と同様に、まず音声効果を行いたい位置に空白のアイコンを入力操作部１８の操作、例えばマウスのクリック操作で選択、移動させ、その位置で空白のアイコンをさらに入力操作部１８を操作、例えばマウスでクリックする操作で、図１７に示された音声効果ウィンドウ５８が、例えば編集画面２４上で別ウィンドウとして表示される。この音声効果ウィンドウ５８で、所望の音声効果アイコンを選択することによって、図１８の音声効果５９に表示されているように空白のアイコンに選択された音声効果アイコンが表示される。図１７に示された音声効果ウィンドウ５８は、クロスフェイドを行う音声効果アイコン５８ａ、５８ｂ、５８ｃ、５８ｄが表示されている。各音声効果アイコンの縦軸は音声レベル、横軸時間に対応し、減少／増加する関数の表示は、アウト／イン点の音声素材に対応している。
選択した音声効果アイコンが音声効果５９に表示されると、次に映像特殊効果の操作と同様に効果時間の設定が行われれる。効果時間の設定は、映像特殊効果の効果時間の設定と同様に入力操作部１８の操作、例えばキーボードで数字の“１０”を入力すると、前後５フレームの映像素材の音声素材に対して、音声効果アイコンが示す音声効果が行われる。効果時間が入力操作部１８の操作により操作されないとき、予め決められたフレーム数に対応した音声素材に対して音声効果が行われる。
上述した映像特殊効果の設定方法および音声効果の設定方法は、以下のようになる。すなわち、映像編集装置１０に記録された映像素材は、表示部１７に表示された編集画面２４上で上述した一連の操作で、編集制御部１１からの命令によりＨＤＤ１２から映像特殊効果装置１６に格納され、ここで実際の特殊効果、例えばディゾルブ処理等が行われ再びＨＤＤ１２に記録されることになる。また、映像編集装置１０に記録された音声素材は、表示部１７に表示された編集画面２４上での上述した一連の操作で、編集制御部１１からの命令によりＨＤＤ１２から音声ミキサ１５に格納され、ここの実際の音声効果が行われ、再びＨＤＤ１２に記録されることになる。
次に図１８に示した、映像素材のキーイング処理について説明する。
キーイング処理とは、静止画あるいはフレームのバックグラウンドや線などの色を変化させたりする処理のこである。映像のキーイング効果の設定方法について以下に記す。
まず編集画面２４のソース名表示画面６４において、ＤＳＫ（ディジタルスチルキーイング）５５の行に表示されたＤＳＫ素材５５ａを入力操作部１８の操作、例えばマウスをクリックする操作、により行う。ＤＳＫ素材５５ａが選択されると、編集画面２４上にはＤＳＫ効果設定ウィンドウ６０が表示される。このＤＳＫ効果設定ウィンドウ６０で、キーイング処理で必要な設定が行われる。ＤＳＫ効果設定ウィンドウ６０は、図１８に示されているように、パターン設定部６０ａと、実行時間設定部６０ｂと、マット色設定部６０ｃと、ボーダー色設定部６０ｄとから構成される。
パターン設定部６０ａは、キーイング効果のパターンの設定を行う。各パターンはアイコン表示され、縦軸がキーイングレベル、横軸が時間で示されている。これら各パターンは入力操作部１８の操作、例えばマウスでクリックする操作により所望のパターンが選択される。さらに、実行時間設定部６０ｂとして、キーイング処理を行う実行時間を、各パターンが表示されたアイコンの下に表示されて、入力操作部１８の操作、例えばキーボードで数字を入力する操作により設定される。
マット色設定部６０ｃは、主に映像のバックグラウンドなど、映像領域の予め決められた領域の色を設定する。すなわち、マット色設定部６０ｃの設定色変更ボタン６００ｃを入力操作部１８の操作により選択されると図示しない色設定ウィンドウがＤＳＫ効果設定ウィンドウ６０上に表示される。この色設定ウィンドウは、各種色表示されたアイコンが表示され、所望の色を入力操作部１８の操作により選択すると、マット色設定部６０ｃの設定色の欄に選択された色が表示される。
ボーダー色設定部６０ｄは、主に映像のライン線などの領域の色を設定する。すなわち、マット色設定部６０ｂの操作と同様に、ボーダー色設定部６０ｄの“設定色の変更”ボタンを操作し、色設定ウィンドウから所望の色を選択することで行う。また、ボーダーの幅の設定もここで行う。図１７に示された例では、ボーダーの幅は４ドットである。
また、キーイング処理を行う位置のトリミングは、上述した映像特殊効果のおける編集点入力する際に使用したジョグ／シャトルダイアル７によって行われる。すなわち、素材名”オープニング”に対しキーイング処理を行う場合に、編集画面２４のビデオＡ５３の所望のフレームをダイアル７ｃで選択して、ジョグ／シャトルダイアル７のインボタン７ａを操作することで決定される。
なお、番組の構成を変更した場合は、素材のトリミング状態はもとに戻される。
次に編集画面２４において、キーイング処理の追加設定を行う場合を図１９を用いて説明する。
編集画面２４のソース名表示画面６４において、操作メニュー３５の“ＤＳＫ新規”３５１を入力操作部１８の操作により選択すると、図１９に示すＤＳＫ素材ウィンドウ６１が表示される。このＤＳＫ素材ウィンドウ６１には、ＤＳＫ５５に表示された素材とは異なる映像（静止画）がアイコンのように表示され、入力操作部１８の操作により各アイコンのうち１つが選択されるとＤＳＫ５５にそのアイコンが新規に表示されて、上述したキーイング処理の操作を選択された新規なアイコン、すなわち新規な素材に対して行うことができる。
このＤＳＫ素材ウィンドウ６１は、上述した映像がアイコン表示され図１９では、素材ＩＤ“Ｔ００１−００”とその素材ＩＤが示す映像（静止画）のアイコン表示６１ａ、素材ＩＤ“Ｔ００２−００”と素材ＩＤが示す映像（静止画）のアイコン表示６１ｂ、等のＤＳＫ素材が一覧表示される。このＤＳＫ素材ウィンドウの最下部にはスクロールバー６１ｄが表示され、ボタン６１ｅを入力操作部の操作によりこのウィンドウ画面上でＤＳＫ素材ウィンドウ６１の画面をスクロールすることができる。
以上のように構成されたＤＳＫ素材ウィンドウ６１で、以下のようにしてＤＳＫ５５に新規なキーイング処理対象の映像（静止画）を挿入させることができる。すなわち、操作メニュー３５の“ＤＳＫ新規”３５１を入力操作部１８の操作により、編集画面２４上で選択すると、ＤＳＫ素材ウィンドウ６１が表示される。ＤＳＫ素材ウィンドウ６１に表示されたアイコンのうち所望のアイコンを入力操作部１８の操作により編集画面２４上で選択して、編集画面２４のソース名表示画面６４のＤＳＫ５５の行でキーイング処理を実行させたい位置を入力操作部１８の操作により選択されると、その位置で選択されたアイコンが挿入される。挿入された後、ＤＳＫ素材アイコンを編集画面上で入力操作部１８の操作により選択されると、ＤＳＫ設定ウィンドウ６０が表示され、効果パターン、実行時間、マット色およびボーダー色が設定される。このＤＳＫ設定ウィンドウ６０における設定は上述したキーイング処理を行うときの設定方法と同じである。
なお、ソース名表示画面６４のＤＳＫ５５の行に設定されたＤＳＫ素材アイコンを入力操作部１８の操作により選択して、操作メニュー３５の“削除”３５３を選択するとＤＳＫ５５から削除される。以上がキーイング処理とキーイング処理の追加設定の説明である。
次に、図２０に示した撮影時に映像素材とともに記録される音声素材以外の音声素材の記録／モニターやその他種々の操作について説明する。
音声の記録は、まず編集画面２４の操作メニュー３５の“音声新規”３５２を入力操作部１８の操作により選択し、記録を行う音声素材のトラックを選択する。ここで記録を行う音声素材のトラックとは、ソース名表示画面６４のアナウンス７０の行や効果音１  ５９４、効果音２  ５９５の行のことである。図２０に示した例ではアナウンス７０の行を選択したことになる。そして、記録開始位置を入力操作部１８の操作により選択する。そして記録したい音声素材を入力操作部１８の操作により選択して、さらに選択されたトラックの位置を選択することで、記録開始位置が決定される。ここでは、音声素材ＩＤ“Ａ０００−００”が選択され、映像素材名“スタジオ収録１”の開始位置でこの音声素材が開始される。また、トラックに表示された音声素材を入力操作部１８の操作により、上述したジョグシャトルダイアル７が有効になり、ダイアル７ｃを操作することで音声の頭出しを行うことができる。そして、操作メニュー３５の“ＲＥＣ”３５６を選択することで実際の音声素材が映像編集装置１０のＨＤＤ１２に記録される。音声素材の記録は、音声のレベルを示す波形が編集画面の選択された音声素材のトラック上に表示され、また映像編集装置１０に設けられた図示しないスピーカから音声が出力されることで、確認できる。必要な音声の記録が終了したときは、操作メニュー３５の“ＳＴＯＰ”３５８を選択することで、音声素材の記録は終了する。記録された音声素材のモニターは、所望の音声が表示されたトラックを入力操作部１８の操作により選択し、さらに操作メニュー３５の“ＭＯＮＩ”３５７を選択することでこの音声が図示しないスピーカより再生出力される。再生している音声素材のトラックの位置は、ハイライトあるいはカーソル等にて表示される。音声素材のモニターを途中でやめたいときは、操作メニュー３５の“ＳＴＯＰ”３５８を選択することで行うことができる。
ここですべての音声素材には素材ＩＤが自動的に付与される。この音声素材の素材ＩＤを変更したいときは、所望の音声素材を入力操作部１８の操作により選択し、操作メニュー３５の“変更”３５４を選択して、さらに入力操作部１８の操作により素材ＩＤを入力することで変更することができる。素材ＩＤを変更したあと、操作メニュー３５の“保存”３５５を選択することで、この変更情報がセーブされる。
また、映像素材のトリミング同様、すべての音声素材のトリミングもジョグ／シャトルダイアル７を操作することで可能である。すなわち、音声素材の記録後、トリミングを行う音声素材を入力操作部１８の操作により選択されると上述したジョグ／シャトルダイアル７が操作可能になり、ジョグ／シャトルダイアル７のインボタン７ａおよびアウトボタン７ｂの操作によりそれぞれ音声素材のイン点およびアウト点が設定される。その後、操作メニュー３５の“保存”３５５を入力操作部１８の操作により選択することでトリミングされた音声素材が記録される。トリミングされた音声素材の素材ＩＤはこのトリミングの操作により自動的にトリミングされるまえの素材ＩＤとは異なるＩＤに変更される。トリミングされた音声素材をもとに戻すには、編集画面２４に表示された所望の音声素材を選択し、操作メニュー３５の“変更”３５４を選択して、素材ＩＤをもとに戻すことで可能である。
音声素材の削除を行うには、編集画面２４に表示された削除したい音声素材を選択し、操作メニュー３５の“削除”３５３を選択することで可能である。
なお番組構成自体を変更した場合には、トリミングされた音声素材はトリミング前の音声素材、すなわち初期状態に戻る。
以上が、音声素材の記録、モニターその他種々の操作方法である。
次に図２１に示した素材画面２５の説明をする。
素材画面２５に表示される素材は、撮影前に予め番組構成画面２３に登録された素材ＩＤにはない素材を撮影記録した素材が表示される。そして、このような素材の管理をこの素材画面２５で行う。
図２１に示したように素材画面２５は、素材種類選択ボタン６２と、素材表示画面６５と、操作メニュー３５と、スクロールバー３６と、モニタースクロールバー４３から構成される。
素材種類選択ボタン６２は、“映像／音声”６２ａと、“静止画”６２ｂと、“音声”６２ｃとから構成される。”映像／音声”６２ａは、素材画面２５に表示された画面が映像素材と映像素材とともに記録された音声素材とを示した画面に切り換えるものであって、図２１に示されているのは、映像素材と映像素材とともに記録された音声素材とが表示された素材画面２５である。この画面で”静止画”６２ｂを入力操作部１８の操作により、素材画面２５上で選択すると静止画素材が表示された素材画面に切り替わる。また図２１に示した画面で“音声”６２ｃを選択すると音声素材が表示された素材画面に切り替わる。
素材名表示画面６５は、番組構成画面２３の素材名表示画面６３と同様な構成になっており、図２１に示すように“素材ＩＤ”、“素材名”、“素材時間”、“担当”、“記録日”、“モニター”とが表示され、各行には素材ＩＤごとにそれぞれ素材ＩＤ、素材名、素材が編集装置に記録された時間、各素材の担当者、素材が記録された日、実際の素材、が表示される。“モニター”には、番組構成画面２３のモニタ４７と同様に映像素材は映像の俯瞰表示、音声素材はレベル表示等が表示される。
操作メニュー３５は、素材画面２５で左から順に“新規”、“削除”、“変更”、“保存”、“ＲＥＣ”、“ＭＯＮＩ”、“ＳＴＯＰ”、“終了”の８つのボタンから構成されている。それぞれのボタンは番組構成画面２３の操作メニュー３５と同様に、新規素材を登録、登録された素材の削除、登録された素材の各項目の変更、変更した後の項目および素材の保存、素材の編集装置１０の記録媒体であるＨＤＤ１２への記録、記録された素材のモニター、記録およびモニターの途中終了、素材画面２５の終了、を行うためのボタンである。
スクロールバー３６は、素材名表示画面６５の右側に配設され、スクロールバー３６ａを入力操作部１８の操作により、素材画面６５を上下にスクロールさせることができる。
モニタースクロールバー４３は、素材画面４３のモニター４７の下側に配設され、モニター４７に表示された素材を左右にスクロールさせることができる。
図２１に示された例では、モニター４７にすべて映像が俯瞰表示されているので、すべての映像素材の記録が終了している。
次に図２２、図２３を用いて素材画面上で素材の切り出しについて説明する。
素材の切り出しとは、予め編集装置１０に記録された映像素材のうち必要な素材だけを切り出し、不必要なフレームを削除することである。
素材の切り出し操作について図２２を用いて説明する。
素材を切り出す対象となる素材を素材画面２５で、入力操作部１８の操作により選択する。選択された素材は、その行全体が図２１に示すようにハイライト表示される。図２１では、素材名表示画面６５の上から３行目の素材（素材ＩＤ“Ｖ０２３−００”、素材名“名称未設定７”）が選択されている。選択された素材はハイライト表示されるとともに、上述したジョグ／シャトルダイアル７が有効になる。モニタ４７に表示されている映像を、このジョグ／シャトルダイアル７を使用して、具体的にはジョグ／シャトルダイアル７のダイアル７ｃを操作して、切り出し開始位置のフレームを選択、その後インボタン７ａを操作して切り出し開始位置が決定される。切り出しの終了位置は、ジョグ／シャトルダイアル７のダイアル７ｃを操作して、切り出し終了位置のフレームを選択、その後アウトボタン７ｂを操作することによって切り出し終了位置が決定される。
上述した素材の切り出しの操作が終了したときに、素材ＩＤが自動的に付加され、新規に素材表示画面６５のリストに追加される。図２０の例では、素材ＩＤ“Ｖ０２３−００”から素材ＩＤ“Ｖ０２３−０１”と末尾２桁が変更されて素材表示画面６５に追加されることになる。
以上のような各素材に対する切り出しの操作およびそれに伴う素材表示画面６５のリストの追加が終了すると図２３に示された素材画面２５になる。
図２３の素材画面２５において、素材名表示画面６５に表示されている、第４行目から第７行目の素材は第３行目に表示されている素材を切り出した素材である。これは、４行目から順に素材ＩＤが“Ｖ０２３−０１”、“Ｖ０２３−０２”、“Ｖ０２３−０３”、“Ｖ０２３−０４”と表示され、第３行目の素材ＩＤが“Ｖ０２３−００”と、素材ＩＤの上４桁が同じであるが下２桁が変更されていることから理解できる。もちろん、この表示以外のたとえば、素材ＩＤの桁がある部分は同じてある部分は異なっていたり、また素材ＩＤの項目が色変化している等でも表現できる。
上述した方法は、予め登録された番組にしたがって映像素材を記録し、編集を行う例を示したが、映像素材を記録したのち番組の構成を決定し、その後編集を行う場合にも適用できる。
本発明の編集装置および編集システムによれば、実際に映像等を用いて編集を行う場合に操作者の熟練度など種々の制約を受けたとしても、充分にその機能を発揮させることができる装置およびシステムを提供することができる。
産業上の利用可能性
本発明の編集装置は、放送局やプロダクションハウス等で用いられる編集装置など種々の編集装置および編集システムに適用できる。
【図１】
0003826406.tif 000002
【図２】
0003826406.tif 000003
【図３】
0003826406.tif 000004
【図４】
0003826406.tif 000005
【図５】
0003826406.tif 000006
【図６】
0003826406.tif 000007
【図７】
0003826406.tif 000008
【図８】
0003826406.tif 000009
【図９】
0003826406.tif 000010
【図１０】
0003826406.tif 000011
【図１１】
0003826406.tif 000012
【図１２】
0003826406.tif 000013
【図１３】
0003826406.tif 000014
【図１４】
0003826406.tif 000015
【図１５】
0003826406.tif 000016
【図１６】
0003826406.tif 000017
【図１７】
0003826406.tif 000018
【図１８】
0003826406.tif 000019
【図１９】
0003826406.tif 000020
【図２０】
0003826406.tif 000021
【図２１】
0003826406.tif 000022
【図２２】
0003826406.tif 000023
【図２３】
0003826406.tif 000024